(57)【特許請求の範囲】
【請求項１】
筐体内に熱交換器と、この熱交換器に風を送風するファンを駆動するファンモータと、このファンモータを支持する左右一対の支持板とを備える空気調和装置の室外ユニットにおいて、
前記ファンモータは、モータハウジングの周囲にフランジ部を備え、このフランジ部に防振ゴムを設け、この防振ゴムを介して当該ファンモータを前記一対の支持板間に跨る幅を有する台座に固定し、この台座を介して当該台座に固定された前記ファンモータを前記一対の支持板に取り付ける構成とするとともに、
前記一対の支持板は、いずれも前記台座に対向する前面部の幅方向中央に設けられ、当該台座を固定するためのねじ孔と、前記前面部の幅方向両側に設けられ、当該台座を仮止めするための左右一対の仮止め用爪とを備え、これら仮止め用爪のうち、内側に位置する各仮止め用爪に、前記台座に設けられた係止孔を引っ掛けた状態で、当該台座を前記ねじ孔にねじ止めしたことを特徴とする空気調和装置の室外ユニット。
【請求項２】
前記一対の支持板は、略同一形状に形成されていることを特徴とする請求項１に記載の空気調和装置の室外ユニット。
【発明の詳細な説明】
【技術分野】
【０００１】
本発明は、室内ユニットと室外ユニットとが分離された分離型空気調和装置の室外ユニットに関する。
【背景技術】
【０００２】
一般に、筐体内に熱交換器と、この熱交換器に風を送風するファンを駆動するファンモータと、このファンモータを支持する一対の支持板とを備えた空気調和装置の室外ユニットが知られている。この種の室外ユニットでは、一対の支持板間にファンモータを配置し、このファンモータを上記支持板にボルトで直に固定していた（例えば、特許文献１参照）。
【特許文献１】特開２００１−２２１４６３号公報
【発明の開示】
【発明が解決しようとする課題】
【０００３】
ところで、近年、住宅事情の過密化に伴い、室外ユニットの低振動、低騒音化が望まれている。このため、ファンモータと支持板との間に防振ゴムを設け、このファンモータから発生する振動や異音を防止する構造が望まれている。
しかしながら、支持板は、熱交換器の前面側に配置されるため、送風の邪魔とならないように幅狭に形成する必要がある。このため、幅狭に形成された支持板とファンモータのフランジとの間に防振ゴムを介在させ、このファンモータを支持板に固定することは難しい。
特に、ファンモータは重量が重いため（例えば、約５ｋｇ）、このファンモータのフランジと支持板との間に、防振ゴムを介在させ、さらに、フランジ、防振ゴム、支持板の各固定用孔にボルトを通す作業が煩わしく、取り付けが容易にできないといった問題があった。
【０００４】
本発明の目的は、上述の事情を考慮してなされたものであり、ファンモータの振動を抑制して低騒音化を図るとともに、当該ファンモータの支持板への取り付けを容易に行うことができる空気調和装置の室外ユニットを提供することにある。
【課題を解決するための手段】
【０００５】
上記課題を解決するため、本発明は、筐体内に熱交換器と、この熱交換器に風を送風するファンを駆動するファンモータと、このファンモータを支持する左右一対の支持板とを備える空気調和装置の室外ユニットにおいて、前記ファンモータは、モータハウジングの周囲にフランジ部を備え、このフランジ部に防振ゴムを設け、この防振ゴムを介して当該ファンモータを前記一対の支持板間に跨る幅を有する台座に固定し、この台座を介して当該台座に固定された前記ファンモータを前記一対の支持板に取り付ける構成とするとともに、前記一対の支持板は、いずれも前記台座に対向する前面部の幅方向中央に設けられ、当該台座を固定するためのねじ孔と、前記前面部の幅方向両側に設けられ、当該台座を仮止めするための左右一対の仮止め用爪とを備え、これら仮止め用爪のうち、内側に位置する各仮止め用爪に、前記台座に設けられた係止孔を引っ掛けた状態で、当該台座を前記ねじ孔にねじ止めしたことを特徴とする。
この構成によれば、ファンモータは、防振ゴムを介して台座に固定されることにより、この台座に固定されたファンモータを１つのユニットとして取り扱うことができる。このユニットは、例えば、作業机の上で事前に組み付けることができるため、当該ユニットの組み付け作業の効率の向上を図ることができる。更に、この組み付けられたユニットを支持板に取り付けることにより、ファンモータのフランジと支持板との間に防振ゴムを介在させながら取り付けを行う必要がなくなるため、ファンモータの支持板への取り付けを容易に行うことができる。また、ファンモータは、防振ゴムを介して台座に固定され、この台座が支持板に取り付けられるため、ファンモータの運転時に、このファンモータから発生する振動や異音を抑制することができ、室外ユニットの低騒音化を図ることができる。
【０００６】
また、この構成において、前記一対の支持板は、いずれも前記台座を仮止めする仮止め用爪を備え、前記台座には前記支持板に固定される固定部と、前記仮止め用爪が係止される係止孔とが形成されている構成としても良い。この構成によれば、支持板の仮止め用爪を台座の係止孔に引っ掛けることにより、この台座に固定されたファンモータを支持板に仮止めすることができる。このため、重量の重いファンモータを片手で支えることなくなく、仮止めされたファンモータを容易に支持板に取り付けることができる。
【０００７】
また、前記一対の支持板は、略同一形状に形成されている構成としても良い。この構成によれば、支持板の加工が容易となるとともに、組立て作業時に支持板と取り付けられる位置とを都度確認する必要がなくなり、作業を簡素化することができる。
【発明の効果】
【０００８】
本発明によれば、ファンモータの振動を抑制して低騒音化を図るとともに、当該ファンモータの取り付けを容易に行うことができる。
【発明を実施するための最良の形態】
【０００９】
以下、図面を参照して本発明の実施形態を詳述する。
本実施形態に係る空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１０】
図１は、室外ユニット１０を前面から見た図であり、図２は室外ユニット１０を上方から見た図である。この室外ユニット１０は、略直方体箱形状のユニットケース（筐体）１１を備え、ユニットケース１１は、底板１２、天板（図示せず）、前面パネル１３および外板１４を有し、ユニットケース１１内部が鉛直に延びる仕切り板１５によって縦に仕切られ、熱交換室Ｒ１と機械室Ｒ２とに分割されている。なお、図１の例では、天板、前面パネル１３および外板１４を取り外した状態を示しているが、前面パネル１３は、仕切り板１５を境に左右に二分割された第１前面パネル１３Ａと第２前面パネル１３Ｂとから構成され、各前面パネル１３Ａ、１３Ｂを取り外すことによって、作業者が前面側から熱交換室Ｒ１および機械室Ｒ２内の部品のメンテナンス作業が可能に構成されている。
【００１１】
熱交換室Ｒ１には、図２に示すように、その背面側に熱交換器２１が収容され、その前面側に送風機２２が収容される。より具体的には、熱交換器２１は、上面視略Ｌ字形状に屈曲されて形成され、熱交換室Ｒ１の左側面（外側面）から背面に沿わせて配置され、この左側面から背面にかけての露出面全体が、通風路（吸込口）を確保しつつ熱交換器２１への人体などの接触を防止可能なネットなどからなるフィンガード（図示せず）で覆われる。
【００１２】
送風機２２は、熱交換室Ｒ１内の左右一対の支柱（支持板）２４Ｌ、２４Ｒに台座２５を介して固定されたファンモータ２６と、このファンモータ２６の軸２６Ａに取り付けられたプロペラファン（軸流ファン）２７とから構成され、このプロペラファン２７が熱交換室Ｒ１の前面側に近接配置される。また、このプロペラファン２７の前部が、熱交換室Ｒ１の前面パネル１３Ａに設けられた丸形フランジ形状のファン覆い部２８内に入り、このファン覆い部２８の開口部が通風路（吹出口）として機能し、この開口部がプロペラファン２７への人体などの接触を防止するファンガード２９で覆われる。
ファンモータ２６によりプロペラファン２７が回転駆動されると、室外ユニット１０の周囲、より具体的には、熱交換器２１の背面側および左側面側から外気が熱交換室Ｒ１内に吸い込まれ、熱交換器２１の略前面を通過した後に、熱交換室Ｒ１前面のファン覆い部２８を通って外に排出される。つまり、この室外ユニット１０は、前面から熱交換後の空気を吹き出す前面吹き出しタイプに構成されている。
【００１３】
また、図１に示すように、機械室Ｒ２には、冷媒回路の一部を構成する圧縮機３１、アキュムレータ３２および切替弁や凝縮弁といった弁体などの冷媒回路構成部品が配管接続され、当該機械室Ｒ２の略下方空間内に収容される。この機械室Ｒ２内の配管の一端側は、熱交換器２１を介して室内ユニットと配管接続され、配管の他端側は室内ユニットに配管接続され、これにより、冷媒を循環する冷媒回路が構成される。また、機械室Ｒ２の上方空間には、空気調和装置を制御する制御基板などの各種電装品を配設した電装ボックス４０が配置される。
【００１４】
次に、ファンモータ２６の取付け構造について説明する。
上述のように、ファンモータ２６は、台座２５を介して左右一対の支柱２４Ｌ、２４Ｒに支持されている。これら支柱２４Ｌ、２４Ｒは、金属板を折り曲げ加工して略同一形状に形成されているため、区別する必要が無い場合には、単に支柱２４と表示する。
支柱２４は、図３に示すように、底板１２に固定される下部４１と、台座２５が固定される支持部４３と、熱交換器２１の上端部２１Ａに支持される上部４５とを備えて構成されている。下部４１は、前面側に向けて曲げられ底板１２に係止される舌片４７を備え、この舌片４７には、支柱２４を底板１２に、ねじ止めするねじ孔４９が形成されている。
【００１５】
上部４５は、背面側に向けて曲げられ、左右に延びる位置決め片４６（図１参照）と、この位置決め片４６から所定間隔Ｔを設けて下方に延びる折曲部４８とを備える。本実施形態では、所定間隔Ｔは、熱交換器２１の上端部２１Ａの厚みと略同一に形成されている。このため、上部４５を熱交換器２１の上端部２１Ａに引っ掛けることにより、この上端部２１Ａに位置決め片４６が当接して支柱２４の位置が定められる。また、折曲部４８には、不図示のねじ孔が形成されており、このねじ孔を通じて折曲部４８を熱交換器２１に固定するようになっている。
【００１６】
支持部４３は、支柱２４の上部４５を熱交換器２１の上端部２１Ａに引っ掛け、下部４１を底板１２にねじ止めした状態で、この底板１２に対して鉛直方向に延びている。支持部４３は、図４に示すように、前面部４３Ａと側面部４３Ｂ、４３Ｃとを備える断面略コ字形状に曲げ形成されており、この前面部４３Ａには台座２５に形成された係止孔５４に引っ掛かる左右一対の仮止め用爪（フック）４４が形成されている。
この仮止め用爪４４は、支柱２４を熱交換室Ｒ１の左右いずれに配置しても、当該仮止め用爪４４の一方が上記係止孔５４に引っ掛かるように、支持部４３の両側面部４３Ｂ、４３Ｃに沿って形成されている。また、前面部４３Ａには、台座２５に形成された固定用孔（固定部）５５を通じて、この台座２５を支柱２４にねじ止めするためのねじ孔（不図示）が形成されている。このねじ孔は、前面部４３Ａの幅方向の略中央に高さを変えて２つ形成されている。
【００１７】
台座２５は、図４に示すように、金属板で形成された矩形状のベース部５１と、このベース部５１の四辺をそれぞれ前面側に曲げ起こして形成した縁部５２とを備え、支柱２４Ｌ、２４Ｒ間に跨る幅を有して形成されている。また、ベース部５１には、ファンモータ２６のモータハウジング６１（後述する）が貫通する円形の開口部５３と、この開口部５３の周囲に形成され、ファンモータ２６をベース部５１に固定するための固定用孔（不図示）とが設けられる。
【００１８】
ファンモータ２６は、モータハウジング６１と、このモータハウジング６１の周囲に所定の角度（本実施形態では９０度）の間隔で形成された複数（本実施形態では４つ）のフランジ部６２とを備える。本実施形態では、ファンモータ２６は、図４に示すように、モータハウジング６１の直径上に設けられた２つのフランジ部６２を結ぶ線が、底板１２から鉛直に延びる線に対して、約４５度傾いた位置で台座２５に取り付けられている。これによれば、台座２５の高さを低く抑えることができるため、この台座２５による通風抵抗を抑制することができる。
また、フランジ部６２には、このフランジ部６２の外周面から軸２６Ａに向けて切り欠き６２Ａが形成されており、この切り欠き６２Ａに防振ゴム６５が取り付けられている。この防振ゴム６５は、両端に円形のつばを持ったボビン状に形成されるとともに、中央部にねじが貫通する固定用孔（不図示）が形成されている。本構成では、フランジ部６２に切り欠き６２Ａが形成されているため、この切り欠き６２Ａを通じて防振ゴム６５を容易にフランジ部６２に着脱することができる。
【００１９】
台座２５を介してファンモータ２６を支柱２４Ｌ、２４Ｒに取付けた状態では、図４に示すように、熱交換器２１（図１）の前面には、ファンモータ２６を挟むように一対の支柱２４Ｌ、２４Ｒが配置される。この場合、支柱２４は、ファンモータ２６を支持するのに十分な程度に幅狭に形成されているため、この支柱２４によって通風が阻害されることが防止される。さらに、支柱２４Ｌ、２４Ｒは、略同一形状に形成されているため、支柱２４の加工が容易となるとともに、組立て作業時に支柱２４と取り付けられる位置とを都度確認する必要がなくなり、作業を簡素化することができる。
【００２０】
次に、ファンモータ２６の取付け方法について説明する。
ファンモータ２６を支柱２４Ｌ，２４Ｒに固定する場合には、まず、支柱２４Ｌ、２４Ｒを底板１２に取付ける。この時、支柱２４Ｌ、２４Ｒは左右どちらに取付けても構わない。つまり、支柱２４の上部４５に形成された折曲部４８を熱交換器２１の上端部２１Ａに引っ掛けた後、支柱２４の下部４１に形成された舌片４７を底板１２に係合させねじ孔４９にねじを通し軽く締め付ける。
【００２１】
続いて、ファンモータ２６を台座２５に組み付ける。
この組み付け作業は、例えば、作業机など、生産ラインでなくても行うことができるため、事前に実施しておくと効率的である。具体的には、まずファンモータ２６のフランジ部６２に防振ゴム６５を取り付ける。この場合、フランジ部６２には、切り欠き６２Ａが形成されているため、この切り欠き６２Ａを通すことにより、防振ゴム６５をフランジ部６２に容易に取り付けることができる。次に、ファンモータ２６のモータハウジング６１を台座２５の開口部５３に嵌め、防振ゴム６５及び台座２５にそれぞれ形成された固定用孔の位置を合わせ、各固定用孔を貫通するようにねじを挿し込む。そして、このねじをナットに締結させることにより、ファンモータ２６を台座２５に組み付ける作業が終了する。これにより、防振ゴム６５を介して台座２５に固定されたファンモータ２６を１つのユニットとして取り扱うことができ、後の組み付け作業の効率の向上を図ることができる。
【００２２】
続いて、ファンモータ２６に取り付けられた台座２５に支柱２４の仮止め用爪４４を引っ掛ける。これにより、ファンモータ２６を仮止め状態とする。この場合、台座２５に形成された係止孔５４に仮止め用爪４４を通すが、一対の支柱２４Ｌ、２４Ｒは下部４１のみが軽くねじ止めされており、しかも底板１２から天板にかけて長く立設されているので、孔を合わせるための自由度が高く、係止孔５４と仮止め用爪４４との係合が容易にできる。この状態で、支柱２４Ｌ、２４Ｒの下部４１と上部４５（折曲部４８）とのねじ止めをする。次に、台座２５に形成された固定用孔５５と支柱２４に形成されたねじ孔（不図示）をとねじ止めする。これにより、ファンモータ２６は支柱２４に容易に且つ確実に固定される。
【００２３】
本実施形態によれば、ファンモータ２６は、モータハウジング６１の周囲にフランジ部６２を備え、このフランジ部６２に防振ゴム６５を設け、この防振ゴム６５を介して当該ファンモータ２６を一対の支柱２４Ｌ、２４Ｒ間に跨る幅を有する台座２５に固定したことにより、この台座２５に固定されたファンモータ２６を１つのユニットとして取り扱うことができる。このユニットは、例えば、作業机の上で事前に組み付けることができるため、ファンモータ２６、防振ゴム６５及び台座２５の組み付け作業の効率の向上を図ることができる。
更に、台座２５を介して、この台座２５に固定されたファンモータ２６を支柱２４Ｌ，２４Ｒに取り付けることにより、従来のように、ファンモータのフランジと支持板との間に防振ゴムを介在させながら取り付けを行う必要がなくなり、ファンモータ２６の支柱２４Ｌ，２４Ｒへの取り付けを容易に行うことができる。また、ファンモータ２６は、防振ゴム６５を介して台座２５に固定され、この台座２５が支柱２４Ｌ，２４Ｒに取り付けられるため、ファンモータ２６の運転時に、このファンモータ２６から発生する振動や異音を抑制することができ、室外ユニット１０の低騒音化を図ることができる。
【００２４】
また、本実施形態によれば、一対の支柱２４Ｌ，２４Ｒは、いずれも台座２５を仮止めする仮止め用爪４４を備え、台座２５には支柱２４Ｌ，２４Ｒに固定される固定用孔５５と、仮止め用爪４４が係止される係止孔５４とが形成されているため、支柱２４Ｌ，２４Ｒの仮止め用爪４４を台座２５の係止孔５４に引っ掛けることにより、この台座２５に固定されたファンモータ２６を支柱２４Ｌ，２４Ｒに仮止めすることができる。このため、重量の重いファンモータを片手で支えることなく、仮止めされたファンモータ２６を容易に支柱２４Ｌ，２４Ｒに取り付けることができる。
【００２５】
また、本実施形態によれば、一対の支柱２４Ｌ，２４Ｒは、略同一形状に形成されているため、支柱２４Ｌ，２４Ｒの加工が容易となるとともに、組立て作業時に支柱２４Ｌ，２４Ｒが取り付けられる位置を都度確認する必要がなくなり、作業を簡素化することができる。
【００２６】
このように、本実施形態によれば、ファンモータ２６の取付け取り外しが容易にでき、作業性と安全性の向上を図ることができる。しかも支柱２４Ｌ，２４Ｒには通風用の開口を形成する必要がないから、支柱２４Ｌ，２４Ｒの加工が容易であり、しかも支柱２４Ｌ，２４Ｒは、略同一形状であるため部品点数の削減を図って製造費用が安価になる。また、支柱２４Ｌ，２４Ｒが左右共通の形状のため作業性も良いものとなっている。
【００２７】
以上、一実施形態に基づいて、本発明を説明したが、本発明は、これに限定されるものではない。例えば、ファンモータは１個に限らず、２個等の複数個配置するものでも同様な効果を得ることができる。この場合には、ファンモータの数に対応する数だけ支柱に仮止め用爪を形成することになる。
【図面の簡単な説明】
【００２８】
【図１】本発明の一実施形態に係る室外ユニットの内部構成の正面図である。
【図２】室外ユニットの内部構成の上面図である。
【図３】ファンモータの取付構造を示す側面図である。
【図４】支柱に取付けられたファンモータを示す斜視図である。
【符号の説明】
【００２９】
１０  室外ユニット
１１  ユニットケース
１２  底板
２１  熱交換器
２４  支柱
２４Ｌ  支持板
２４Ｌ  支柱
２４Ｌ，２４Ｒ  支柱
２５  台座
２６  ファンモータ
２７  プロペラファン
４１  下部
４３  支持部
４４  仮止め用爪
４５  上部
４６  位置決め片
４７  舌片
４８  折曲部
５１  ベース部
５２  縁部
５３  開口部
５４  係止孔
５５  固定用孔（固定部）
６１  モータハウジング
６２  フランジ部
６５  防振ゴム
【図１】
0005081528.tif 000002
【図２】
0005081528.tif 000003
【図３】
0005081528.tif 000004
【図４】
0005081528.tif 000005